(57)【要約】【課題】可変動弁装置を効率的に動作させる。【解決手段】エンジン２００の機関停止時において、ＶＶＴコントローラ２１６ではロックピン２２４によってベーン２１９が最遅角位置でロックされている。エンジン２００が始動すると、ＥＣＵ１００は、吸気バルブタイミング制御処理を実行し、エンジン始動後の機関回転数Ｎｅの積算値ｅｎｅｓｕｍを所定周期で演算する。積算値ｅｎｅｓｕｍが、冷却水温Ｔｗに応じて基準値マップＭＰ１から取得される積算値の基準値ｔ＿ｎｅｏｉｌｐｒ以上であった場合、ＥＣＵ１００は、ＶＶＴコントローラ２１６に係るオイルの液圧が、ロックピン２２４によるベーン２１９のロック状態を解除し得る解除液圧以上に上昇したものと判別し、ベーン２１９を係る最遅角位置に強制的に維持する強制最遅角モードを解除し、目標変位角に基づいた吸気バルブタイミングの通常制御を開始する。【選択図】図５
2007278222.tif 000002
【特許請求の範囲】
【請求項１】
内燃機関に備わると共に（i）吸気側カム軸と排気側カム軸とのうち少なくとも一方における、クランク軸の回転位相に対する相対的な回転位相を、作動液の液圧に応じて変化させることが可能な回転位相可変手段、（ii）前記液圧に応じて駆動され、前記内燃機関の機関停止時に、前記回転位相可変手段の少なくとも一部を機械的に固定することにより前記相対的な回転位相を固定するロック状態を採り且つ前記内燃機関の機関始動時において前記液圧が所定値以上となった場合に前記ロック状態を解除することが可能に構成されたロック手段並びに（iii）前記回転位相可変手段及び前記ロック手段に対し前記内燃機関に係る動力を利用して前記作動液を供給することが可能な供給手段を含んでなる可変動弁装置を制御する、可変動弁装置の制御装置であって、
前記内燃機関の機関回転数を特定する機関回転数特定手段と、
前記特定された機関回転数に基づいて、前記液圧が所定値以上であるか否かを判別する判別手段と、
前記液圧が所定値以上であると判別された場合に、前記回転位相可変手段を介して前記少なくとも一方における相対的な回転位相が前記内燃機関の機関運転条件に応じた値となるように前記供給手段を制御する制御手段と
を具備することを特徴とする可変動弁装置の制御装置。
【請求項２】
前記回転位相可変手段は、前記クランク軸と同期して回転する第１の回転体、前記第１の回転体と同軸に構成され、前記少なくとも一方に連結された第２の回転体、及び前記第１又は第２の回転体に設けられ、前記第１の回転体と前記第２の回転体との間に形成される液室を進角室と遅角室とに区画するベーンを含み、前記進角室及び遅角室に夫々供給される前記作動液の液圧に応じて前記相対的な回転位相を進角又は遅角させることが可能に構成されており、
前記ロック手段は、前記ロック状態において前記ベーンの一部と係合又は嵌合することにより前記少なくとも一部として前記ベーンを機械的に固定し、
前記供給手段は、前記進角室及び前記遅角室に夫々前記作動液を供給可能であり、
前記制御手段は、前記少なくとも一方における相対的な回転位相が前記内燃機関の機関運転条件に応じた値となるように前記供給手段を介して前記進角室及び遅角室の各々における前記液圧を制御する
ことを特徴とする請求項１に記載の可変動弁装置の制御装置。
【請求項３】
前記判別手段は、前記内燃機関の始動後における前記特定される機関回転数の積算値が基準値以上である場合に前記液圧が所定値以上であると判別する
ことを特徴とする請求項１又は２に記載の可変動弁装置の制御装置。
【請求項４】
前記内燃機関における冷却水温を特定する冷却水温特定手段と、
前記特定された冷却水温に基づいて前記積算値の基準値を設定する基準値設定手段と
を更に具備する
ことを特徴とする請求項３に記載の可変動弁装置の制御装置。
【請求項５】
前記基準値設定手段は、前記冷却水温が高い程小さくなるように前記基準値を決定する
ことを特徴とする請求項４に記載の可変動弁装置の制御装置。
【発明の詳細な説明】
【技術分野】
【０００１】
本発明は、例えばＶＶＴ（Variable Valve Timing：可変バルブタイミング機構）等の可変動弁装置を制御する可変動弁装置の制御装置の技術分野に関する。
【背景技術】
【０００２】
この種の装置として、バルブタイミング調整装置における油圧の上昇を始動後の経過時間に基づいて判定するものが提案されている（例えば、特許文献１参照）。特許文献１に開示された内燃機関の可変バルブタイミング制御装置（以下、「従来の技術」と称する）によれば、エンジン始動後の経過時間が所定時間を超えた場合に、ロックピンによるロックが解除され、カム軸位相の制御が可能となる。この際、冷却水温をパラメータとすることにより、カム軸位相を制御するのに十分な油圧を供給できるか否かを規定する始動後の経過時間を適正に設定できるとされている。
【０００３】
【特許文献１】特開２００１−５００６４号公報
【発明の開示】
【発明が解決しようとする課題】
【０００４】
内燃機関の始動期間における、このような可変動弁装置の作動に供される作動液の液圧の上昇特性は、冷却水温が一定であっても、内燃機関の機関運転条件によってその都度異なる。従って、従来技術の如く単に冷却水温に基づいて設定される所定時間によって液圧の上昇を判定しようとした場合、必然的に、より安全な側へのマージンを設けざるを得ず、多くの場合、実際には可変動弁装置の動作が可能な状態であるにもかかわらずロックが解除されないといった事態が発生する。即ち、従来の技術には、可変動弁装置の制御機会が意味無く損なわれかねないという技術的な問題点がある。
【０００５】
本発明は上述した問題点に鑑みてなされたものであり、可変動弁装置を効率的に動作させることが可能な可変動弁装置の制御装置を提供することを課題とする。
【課題を解決するための手段】
【０００６】
上述した課題を解決するため、本発明に係る可変動弁装置の御装置は、内燃機関に備わると共に（i）吸気側カム軸と排気側カム軸とのうち少なくとも一方における、クランク軸の回転位相に対する相対的な回転位相を、作動液の液圧に応じて変化させることが可能な回転位相可変手段、（ii）前記液圧に応じて駆動され、前記内燃機関の機関停止時に、前記回転位相可変手段の少なくとも一部を機械的に固定することにより前記相対的な回転位相を固定するロック状態を採り且つ前記内燃機関の機関始動時において前記液圧が所定値以上となった場合に前記ロック状態を解除することが可能に構成されたロック手段並びに（iii）前記回転位相可変手段及び前記ロック手段に対し前記内燃機関に係る動力を利用して前記作動液を供給することが可能な供給手段を含んでなる可変動弁装置を制御する、可変動弁装置の制御装置であって、前記内燃機関の機関回転数を特定する機関回転数特定手段と、前記特定された機関回転数に基づいて、前記液圧が所定値以上であるか否かを判別する判別手段と、前記液圧が所定値以上であると判別された場合に、前記回転位相可変手段を介して前記少なくとも一方における相対的な回転位相が前記内燃機関の機関運転条件に応じた値となるように前記供給手段を制御する制御手段とを具備することを特徴とする。
【０００７】
本発明に係る「内燃機関」とは、例えば複数の気筒を有し、例えば吸気管又は吸気ポート等の吸気系に或いは気筒内の燃焼室に直接噴射される例えばガソリン等の燃料を含む混合気を燃焼せしめると共に、係る燃焼に伴う爆発力を、例えばピストン、コネクティングロッド及びクランク軸等を適宜介して動力とし取り出すことが可能に構成された機関を包括する概念であり、且つ特に可変動弁装置及び供給手段を備えた、例えば２サイクル或いは４サイクルレシプロエンジン等を指す。
【０００８】
本発明に係る「可変動弁装置」とは、空気の吸入に係る吸気弁及び燃焼室における燃焼行程を経た後の混合気の排気に係る排気弁のうち少なくとも一方における、開弁時期及び閉弁時期（以降、これらを総称するものとして適宜「バルブタイミング」なる言葉を使用する）を可変とし得る物理的、機械的、機構的又は電気的な装置或いはそれらが適宜組み合わされた装置を包括する概念であり、本発明では特に、回転位相可変手段、ロック手段及び供給手段を含んでなる。尚、バルブタイミングに係る「時期」とは、時刻概念ではなくクランク角或いはクランク角に対応付けられた指標によって規定される角度概念である。従って、これ以降、開弁時期及び閉弁時期を相対的早める或いは遅くすることを適宜「進角する」或いは「遅角する」等と表現することとする。
【０００９】
回転位相可変手段は、吸気側カム軸及び排気側カム軸のうち少なくとも一方における、クランク軸の回転位相に対する相対的な回転位相（これ以降、適宜「回転位相差」と表現することとする）を、例えばオイル等の作動液の液圧に応じて変化させることが可能な手段を包括する概念であり、例えばカム軸に同期して回転可能なベーンロータを液圧に応じて進角側又は遅角側に回転させる構成を有していてもよいし、或いはカム軸にヘリカルギア又はヘリカルスプライン等を適宜介して連結される、カム軸方向に往復運動可能な軸体或いはピストン等を、液圧を駆動源とするアクチュエータ等によって駆動せしめ、それらの往復運動をカム軸の回転運動に変換せしめる構成であってもよい。
【００１０】
ロック手段は、回転位相可変手段と共用される作動液の液圧により駆動され、内燃機関の機関停止時に、例えば液圧の下降に伴って自然に、或いは然るべき制御に従って、回転位相可変手段における、例えば前述したベーンやヘリカルギア等、その少なくとも一部を機械的に固定する（以下、適宜「ロックする」等と表現する）ロック状態を採り、係るロック状態において、カム軸の回転位相差を、その可動範囲よりも狭小な範囲に、典型的には一の値に固定する。ロック手段は、機関始動後作動液の液圧が所定値以上となった場合に係るロック状態を解除することが可能に構成される。
【００１１】
これら回転位相可変手段及びロック手段の駆動に供される作動液は、供給手段によって給される。供給手段は、内燃機関に係る動力を利用して作動液を供給する、例えば機械的、物理的、機構的又は電気的な手段を包括する概念であり、例えば内燃機関における、例えば潤滑油等の粘性流体を循環供給することが可能な、例えば内燃機関の補機の一部たるオイルポンプ等の循環装置を含み、例えば回転位相可変手段及びロック手段の或いは可変動弁装置全体の構成又は構造に応じて、回転位相可変手段及びロック手段に夫々作動液を供給可能に構成される。
【００１２】
ここで特に、可変動弁装置に係る効果を最大限に享受するためには、内燃機関の始動後、作動液の液圧がロック手段のロック状態を解除し得る所定値以上に上昇したか否かを迅速に且つ正確に判別する必要がある。特に、ロック状態を解除するために必要な液圧の値（即ち、所定値）が回転位相可変手段の動作に要する液圧よりも高い場合、係る判別の精度が低いと未だロック状態を解除し得る液圧となる前に回転位相可変手段の動作が開始される場合がある。
【００１３】
この場合、無論ロック状態は解除されないから、回転位相差は固定された状態を維持するが、ロック手段の構造によっては、例えば回転位相可変手段がロックされているにもかかわらず回転位相差を変化させるべく回転位相可変手段が動作しようとすることによって、ロック手段と回転位相可変手段とが例えば機械的に噛み合い、然るべき時間経過の後に液圧が所定値を超えても、ロック状態を解除することが困難になる場合がある。或いはロック手段又は回転位相可変手段の一部が物理的に損壊する可能性がある。
【００１４】
一方で、作動液の液圧を直接検出するためにセンサ等の直接的な検出手段を設けることは、部品点数の増加に伴う制御負荷及びコストの増加を招くため好ましくない。また、例えば、単に始動後の経過時間に応じて係る判別を行おうとする場合、供給手段が内燃機関の動力に応じて駆動される構成であることに鑑みれば、冷却水温等をパラメータとして判別に係る基準値を複数設定しておいた所で、内燃機関の動作状態によって液圧の上昇速度はまちまちであり、端的に言えば、液圧の上昇速度が極端に低い場合にも確実に液圧が所定値を超え得る時間に基準値を設定せざるを得ない。従って、実際にはロック状態を解除し得る液圧に到達していても回転位相可変手段を介した実際の回転位相差の制御を実行することができない状況、即ち実行機会の損失が実用上問題となる程度に顕在化しかねない。
【００１５】
本発明に係る車両の制御装置によれば、その動作時には、例えばＥＣＵ（Electronic Control Unit：電子制御ユニット）等の各種処理ユニット、各種コントローラ或いはマイコン装置等各種コンピュータシステム等として構成される機関回転数特定手段により、内燃機関の機関回転数が特定される。
【００１６】
尚、本発明に係る「特定」とは、例えば物理的、電気的、機械的、機構的又は化学的な検出手段によって直接的又は間接的に検出することの他に、これら直接的又は間接的に検出された値に基づいて、予め設定されたアルゴリズムや算出式に従って導出又は算出すること等を含み、更には、これら検出された又は導出若しくは算出された値或いはこのような値に対応する電気信号等を単に取得すること等を含む広い概念である。
【００１７】
更に、本発明に係る車両の制御装置によれば、例えばＥＣＵ等の各種処理ユニット、各種コントローラ或いはマイコン装置等各種コンピュータシステム等として構成される判別手段により、特定された機関回転数に基づいて液圧が所定値以上であるか否かが判別される。
【００１８】
ここで、供給手段は内燃機関に係る動力を利用して作動液を供給する構成であり、例えば供給手段がオイルポンプ等循環装置を含む場合には特に、内燃機関の機関回転数は、作動液の液圧を高精度に推定し得る指標となり得る。例えば、機関回転数がより高ければ、冷却水温等のパラメータが等しいとしても液圧の上昇速度は高いものと推定し得る。
【００１９】
尚、機関回転数に基づいた判別の態様は何ら限定されるものではなく、例えば予め実験的に、経験的に或いはシミュレーション等に基づいて、機関回転数と液圧の上昇特性との相関が推定される場合には、そのような上昇特性に基づいて係る判別に際しての基準値が設定されていてもよい。
【００２０】
このような判別の結果、液圧が所定値以上であると判別された場合には、例えばＥＣＵ等の各種処理ユニット、各種コントローラ或いはマイコン装置等各種コンピュータシステム等として構成される制御手段によって、回転位相可変手段を介して少なくとも一方のカム軸における回転位相差が内燃機関の機関運転条件に応じた値となるように供給手段が制御する。
【００２１】
尚、この際、ロック手段は、液圧が所定値以上に上昇したことに伴って（即ち、判別手段に係る判別の結果とは別に）、ロック状態が例えば機械的、物理的又は機構的な原理により自動的に解除されるように構成されていてもよい。或いは制御手段が、上述した回転位相可変手段を介して回転位相差の制御を行う場合に、その前段階として或いは同時に、ロック手段に対し作動液（即ち、液圧が所定値以上であると判別された状態の作動液）を供給するよう供給手段を制御してもよい。
【００２２】
尚、内燃機関の機関運転条件に応じた値とは、例えば、予め実験的に、経験的に或いはシミュレーション等に基づいて燃費、エミッション又は動力性能等の諸条件をその時点で要求されるスペックに適合すべく決定された、基準となるバルブタイミングからの遅角又は進角量に従ったバルブタイミング等を指す。
【００２３】
このように、本発明に係る車両の制御装置によれば、ロック状態を解除し得る液圧に達したか否かの判別を、内燃機関の機関回転数に基づいて高精度に行うことが可能であり、そのような判別の結果に従って回転位相可変手段が制御されることにより、回転位相可変手段の制御機会の損失を大きく低減することが可能となる。即ち、可変動弁装置を効率的に動作させることが可能となるのである。
【００２４】
本発明に係る可変動弁装置の制御装置の一の態様では、前記回転位相可変手段は、前記クランク軸と同期して回転する第１の回転体、前記第１の回転体と同軸に構成され、前記少なくとも一方に連結された第２の回転体、及び前記第１又は第２の回転体に設けられ、前記第１の回転体と前記第２の回転体との間に形成される液室を進角室と遅角室とに区画するベーンを含み、前記進角室及び遅角室に夫々供給される前記作動液の液圧に応じて前記相対的な回転位相を進角又は遅角させることが可能に構成されており、前記ロック手段は、前記ロック状態において前記ベーンの一部と係合又は嵌合することにより前記少なくとも一部として前記ベーンを機械的に固定し、前記供給手段は、前記進角室及び前記遅角室に夫々前記作動液を供給可能であり、前記制御手段は、前記少なくとも一方における相対的な回転位相が前記内燃機関の機関運転条件に応じた値となるように前記供給手段を介して前記進角室及び遅角室の各々における前記液圧を制御する。
【００２５】
この態様によれば、回転位相可変手段は、クランク軸と同期して回転する例えばハウジング等の第１の回転体と、吸気側カム軸及び排気側カム軸のうち少なくとも一方に連結された、例えばロータ等の第２の回転体と、これらいずれか一方に設けられ、例えばロータとハウジングとの間に形成される液室を、回転位相差を遅角せしめるべく作動液が供給される遅角室及び回転位相差を進角せしめるべく作動液が供給される進角室とに区画するベーンを含んで構成される。このような構成の下、進角室及び遅角室の各々における液圧によりベーンが進角側又は遅角側に回動し、ベーンが設けられたロータ或いはハウジングが、クランク軸或いはカム軸に対し進角又は遅角せしめられる。従って、供給手段は、この遅角室及び進角室に夫々作動液を供給可能に構成される。
【００２６】
ロック手段は、例えばロックピン等の物理的な係合部材又は嵌合部材を含み、ロック状態において、例えばこのロックピンが、コイルバネ等の付勢手段による付勢を受けて、例えばベーンに設けられたロック孔等、ベーンの一部と係合又は嵌合することによってベーンをロックする。この場合、例えば液圧が所定値以上となり液圧が付勢手段による付勢に打ち勝つと、例えばロックピンが予め設定された収容部に収容され、ロックが解除される。
【００２７】
この態様によれば、制御手段は、進角室及び遅角室の各々における液圧が機関運転条件に応じた値となるように、例えば、供給手段に含まれるソレノイドバルブ等の流量制御手段におけるデューティ制御等を介して、或いは作動液の液圧伝達経路の切替え制御等を介して、これら遅角室及び進角室の液圧を制御することにより、吸気側カム軸又は排気側カム軸のうち少なくとも一方における回転位相差を連続的に可変に制御することが可能となる。
【００２８】
一方、このような構成においては、通常、ロック状態を解除するための液圧の所定値は、ベーンを進角側又は遅角側に回動させるために必要な液圧の値よりも大きく設定される。従って、既に述べたように、ロック手段が例えばベーン等回転位相可変手段の一部と例えば過剰な接触状態に陥らないように、液圧がロック状態を解除し得る所定値に達したか否かの判別を高精度に行う要求が顕著に生じ得る。即ち、このようにベーン方式の可変動弁装置を搭載する車両においては、本発明に係る車両の制御装置に係る効果が顕著に発揮される。
【００２９】
本発明に係る車両の制御装置の他の態様では、前記判別手段は、前記内燃機関の始動後における前記特定される機関回転数の積算値が基準値以上である場合に前記液圧が所定値以上であると判別する。
【００３０】
この態様によれば、始動後における機関回転数の積算値が基準値以上であるか否かに基づいて、高精度に且つ迅速に液圧上昇に係る判別が実行されるため、例えば瞬間的に機関回転数が上昇した場合や、機関回転数が安定しない場合等に生じ得る誤判定を回避することができ効果的である。尚、ここで述べられる「始動後」とは、内燃機関が始動を開始した時点以降の時間領域の少なくとも一部を表す概念であり、例えば、厳密に始動回転の開始時点を基準に採ってもよいし、始動回転が終了した時点を基準に採ってもよい趣旨である。
【００３１】
尚、積算値の基準値は、予め適合等のプロセスを経てマップとして然るべき記憶手段に記憶されていてもよいし、制御手段がその都度、所定のアルゴリズムや算出式に基づいて算出してもよい。また、基準値は複数用意されていてもよく、その場合、液圧の上昇に影響を与え得る内燃機関の状態を規定する、例えば冷却水温や潤滑油温等の各種指標値や外気温や湿度等環境条件を規定する指標値が、予めパラメータとして設定されていてもよい。
【００３２】
尚、この態様では、前記内燃機関における冷却水温を特定する冷却水温特定手段と、前記特定された冷却水温に基づいて前記積算値の基準値を設定する基準値設定手段とを更に具備してもよい。
【００３３】
この場合、例えばＥＣＵ等の各種処理ユニット、各種コントローラ或いはマイコン装置等各種コンピュータシステム等として構成される冷却水温特定手段が、例えば冷却水温センサ等の検出手段から電気信号等として取得することにより特定した冷却水温に基づいて、例えばＥＣＵ等の各種処理ユニット、各種コントローラ或いはマイコン装置等各種コンピュータシステム等として構成される基準値設定手段が、積算値の基準値を設定する。
【００３４】
冷却水温は、作動液の液圧上昇と相関のある指標値であり、冷却水温に応じて積算値の基準値が複数設定される場合には、より高精度に液圧上昇に係る判別を行うことが可能となる。
【００３５】
尚、この際、基準値設定手段は、例えば予め適合等のプロセスを経て例えばマップ等に記憶されてなる複数の基準値の中から、特定された冷却水温に対応する値を選択することにより基準値を設定する。或いは、予め実験的に、経験的に或いはシミュレーション等に基づいて与えられた冷却水温と液圧上昇との相関関係を反映して、その都度個別具体的な演算の結果として基準値を設定してもよい。
【００３６】
更にこの場合、前記基準値設定手段は、前記冷却水温が高い程小さくなるように前記基準値を決定してもよい。
【００３７】
冷却水温が高い程作動液の温度も高いと考えられ、また作動液の温度が高い程、液圧の上昇も早いから、このように基準値が設定された場合には、基準値を冷却水温に応じて的確に補正し得、積算値による液圧の判別精度を効果的に向上させることが可能である。
【００３８】
本発明のこのような作用及び他の利得は次に説明する実施形態から明らかにされる。
【発明を実施するための最良の形態】
【００３９】
＜発明の実施形態＞
以下、図面を参照して、本発明の好適な実施形態について説明する。
【００４０】
＜実施形態の構成＞
始めに、本発明に係るエンジンシステムの構成について説明する。ここに、図１はエンジンシステム１０の模式図である。
【００４１】
図１において、エンジンシステム１０は、ＥＣＵ１００及びエンジン２００を備える。
【００４２】
ＥＣＵ１００は、図示せぬＣＰＵ（Central Processing Unit）、ＲＯＭ（Read Only Memory）及びＲＡＭ（Random Access Memory）等を備え、エンジン２００の動作を制御すると共に、本発明に係る「可変動弁装置の制御装置」の一例として機能するように構成された電子制御ユニットである。
【００４３】
エンジン２００は、不図示の車両の動力源たるガソリンエンジンであり、本発明に係る「内燃機関」の一例である。以下に、エンジン２００の要部構成について、その動作の一部を交えて説明する。
【００４４】
エンジン２００は、シリンダブロック内にシリンダ２０１が４本直列に配置されてなる直列４気筒エンジンである。エンジン２００は、各シリンダ内部において空気と燃料との混合気が燃焼するに際して生じる不図示のピストンの往復運動を、コネクティングロッド及びクランクシャフト（いずれも不図示）を介して回転運動に変換することが可能に構成されている。このクランクシャフトの回転位置は、ＥＣＵ１００と電気的に接続された不図示のクランクポジションセンサによって絶えず検出されており、所定の制御バスを介してＥＣＵ１００により常に把握され、後述するバルブタイミングや点火時期等の各種制御に供される構成となっている。
【００４５】
エンジン２００が動作するに際し、外部から吸入された空気は、吸気管２０２に導かれ、エアクリーナ２０３によって浄化された後に、各気筒に連通する吸気マニホールド２０２ａへ供給される。また、吸入された空気に係る吸入空気量は、エアクリーナ２０３の下流に位置するエアフローメータ２０４によって検出される。エアフローメータ２０４は、ＥＣＵ１００と電気的に接続されており、エアフローメータ２０４によって検出された吸入空気量は、ＥＣＵ１００により絶えず把握される構成となっている。
【００４６】
吸気管２０２には、スロットルバルブ２０５が設けられ、その開度に応じて吸気マニホールド２０２ａに供給される吸入空気量が制御される構成となっている。スロットルバルブ２０５は、スロットルバルブモータ（不図示）等の電動アクチュエータにより駆動される電子制御式のスロットルバルブであり、ＥＣＵ１００と電気的に接続され、ＥＣＵ１００により、例えば不図司のアクセルペダルの開度に応じて或いはアクセルペダルの開度とは無関係にその開度が制御される構成となっている。また、スロットルバルブ２０５の開度たるスロットル開度は、スロットルバルブ２０５近傍に設けられたスロットル開度センサ２０６により検出される。スロットル開度センサ２０６は、ＥＣＵ１００と電気的に接続されており、検出されたスロットル開度は、ＥＣＵ１００により常に把握される構成となっている。
【００４７】
シリンダ２０１内の燃焼室には、吸気マニホールド２０２ａを介して供給される空気と、吸気マニホールド２０２ａに連通する不図示の吸気ポートにおいて、例えば電子制御式のインジェクタ（図示は省略）等から噴射供給される燃料との混合気が、二個の吸気バルブ２０７を介して吸入される。この際、係る混合気は、吸気バルブ２０７の開弁時に燃焼室内へ供給される構成となっている。尚、係るインジェクタ等の燃料供給系は、ＥＣＵ１００と電気的に接続されており、ＥＣＵ１００によってその噴射量及び噴射時期（噴射クランク角）が制御される構成となっている。
【００４８】
燃焼室内部では、燃焼行程において点火プラグ２０８による点火動作により混合気が燃焼する。尚、点火プラグ２０８は、ＥＣＵ１００と電気的に接続されており（制御ラインは不図示）、ＥＣＵ１００によってその点火時期（点火クランク角）が制御されるように構成されている。燃焼室において燃焼済みとなった混合気は、不図示の排気ポートに連通する二個の排気バルブ２０９の開弁時に、排気として係る排気ポートに排出される。係る排気は、排気ポートに連通する排気マニホールド２１０ａ及び排気管２１０を介して排出される。
【００４９】
排気管２１０には、三元触媒２１１が設けられており、排気管２１０に排出された排気は、係る三元触媒２１１により浄化せしめられ、更に後段に設置される他の触媒装置により順次浄化せしめられた後に車外へ排出される構成となっている。また、エンジン２００のシリンダブロック内に収容されるウォータジャケットには、冷却水が循環供給されており、係る冷却水の温度たる冷却水温Ｔｗは、水温センサ２３３によって検出され、水温センサ２３３と電気的に接続されたＥＣＵ１００によって絶えず把握される構成となっている。
【００５０】
吸気バルブ２０７は、不図示のシリンダヘッド上に回転可能に支持された吸気カムシャフト２１２（即ち、本発明に係る「吸気側カム軸」の一例）に、個々の吸気バルブ２０７に対応付けられて固定された吸気カム２１３によって、その開閉動作が制御される。
【００５１】
一方、排気バルブ２０９は、不図示のシリンダヘッド上に回転可能に支持された排気カムシャフト２１４（即ち、本発明に係る「排気側カム軸」の一例）に、個々の排気バルブ２０９に対応付けられて固定された排気カム２１５によって、その開閉動作が制御される。
【００５２】
ここで、本実施形態では特に、吸気側カムシャフト２１２の一方の端部付近にＶＶＴコントローラ２１６が備わり、吸気バルブ２０７のバルブタイミングを可変に制御することが可能に構成されている。
【００５３】
ここで、図２を参照して、ＶＶＴコントローラ２１６の構成について説明する。ここに、図２は、ＶＶＴコントローラ２１６の、吸気カムシャフト２１２と直交する平面における模式断面図である。
【００５４】
図２において、ＶＶＴコントローラ２１６は、ハウジング２１７（即ち、本発明に係る「第１の回転体」の一例）とロータ２１８（即ち、本発明に係る「第２の回転体」の一例）とを備える。
【００５５】
ハウジング２１７は、紙面に垂直な方向へ伸長する吸気カムシャフト２１２の外周に回動可能に支持されたスプロケット（不図示）にボルト等で締め付けられることによって固定されている。この際、エンジン２００におけるクランクシャフトの回転は、タイミングチェーン（不図示）を介してスプロケットとハウジング２１７に伝達されるため、スプロケット及びハウジング２１４は、クランクシャフトに同期して回転することが可能である。
【００５６】
吸気カムシャフト２１２は、エンジン２００のシリンダヘッドとベアリングキャップにより回転可能に支持されている。ロータ２１８は、このように支持された吸気カムシャフト２１２の一方の端部においてストッパを介してボルトで締め付けられることによって固定されており、ハウジング２１７内に回動可能に収容されている。また、ハウジング２１７の内部には、複数の液室が形成されており、その各々が、ロータ２１８の外周部に形成されたベーン２１９によって、進角室２２０及び遅角室２２１に区画されている。尚、ロータ２１８に形成された複数のベーン２１９のうち一つには、ロック孔２２３が形成されている。ロック孔２２３の作用については後述する。
【００５７】
吸気カムシャフト２１２の外周部分には、遅角側流路部２２２が環状に形成されており、遅角室２２１の各々に不図示の液圧流路を介して連通している。また、吸気カムシャフト２１２の外周部には更に、進角側流路部（不図示）が、遅角側流路部２２２と同様環状に形成されており、進角室２２０の各々に不図示の液圧流路を介して連通している。
【００５８】
一方、ＶＶＴコントローラ２１６は、前述した遅角側流路部２２２及び進角側流路部等の液圧流路を含む液圧伝達系２２５（即ち、本発明に係る「供給手段」の一例）を備える。ここで、図３を参照して、液圧伝達系２２５について説明する。ここに、図３は、液圧伝達系２２５の模式図である。
【００５９】
図３において、液圧伝達系２２５は、スプリング２２７及びソレノイド２２８により駆動される液圧制御弁２２６を備える。液圧制御弁２２６は、その弁体の位置を、進角室２２０に液圧を伝達せしめる進角位置、遅角室２２１に液圧を伝達せしめる遅角位置並びに進角室２２０及び遅角室２２１の何れにも液圧を伝達させない非伝達位置のいずれかに切替えることが可能に構成される。尚、ソレノイド２２８は、不図示の駆動系を介してＥＣＵ１００と電気的に接続されており、ＥＣＵ１００の上位制御によって制御されるソレノイド電流に応じて、液圧制御弁２２６の弁体の位置を切替えることが可能に構成されている。
【００６０】
スプリング２２７は、液圧制御弁２２６を図示右方向に付勢する弾性部材である。ソレノイド２２８に電流が供給されない場合、液圧制御弁２２６は、スプリング２２７による付勢を受けて、図示するように遅角位置で停止するように構成されている。
【００６１】
液圧伝達系２２５は、ポンプ２２９を備える。ポンプ２２９は、エンジン２００の動力によって作動するように構成されており、エンジン２００における潤滑用のオイル（即ち、本発明に係る「作動液」の一例）の一部をオイルパン２３０から汲み上げて、ＶＶＴコントローラ２１６の各部に循環供給することが可能に構成されている。
【００６２】
このポンプ２２９によって循環供給されるオイルは、液圧制御弁２２６に接続された遅角側デリバリ２３１及び進角側デリバリ２３２を介して、更にはこれらに連通する前述した遅角側流路部２２２や進角側流路部等を介して夫々最終的に遅角室２２１及び進角室２２０に供給される構成となっている。
【００６３】
＜実施形態の動作＞
＜ＶＶＴコントローラによるバルブタイミング制御＞
ＶＶＴコントローラ２１６では、以下に説明する三種類の制御モードが実行される。
【００６４】
＜保持モード＞
図２において、液圧伝達系２２５を介して進角室２２０及び遅角２２１に所定値以上の液圧が加えられた状態で、液圧制御弁２２６の弁体が非伝達位置に制御されると、保持モードが作動する。保持モードでは、進角室２２０及び遅角室２２１における液圧が保持されるため、進角室２２０及び遅角室２２１双方の液圧によってベーン２０９は固定され、クランクシャフトの回転に伴うハウジング２１７の回転がオイルを介してロータ２１８及びベーン２１９に伝達される。従って、ロータ２１８に固定された吸気カムシャフト２１２は、クランクシャフトとの間で一定の回転位相差が保持された状態でロータ２１８と一体に回転駆動される。
【００６５】
＜フィードバックモード＞
進角室２２０及び遅角室２２１における液圧を変化させた場合、ベーン２１９は所定の可動範囲内で双方の液圧の度合いに応じて図示進角方向及び遅角方向に回動する。この際、ベーン２１９が形成されるロータ２１８もベーン２１９に伴って回動するため、結果的に吸気カムシャフト２１２の回転位相は、クランクシャフトの回転位相に対して変化し、即ち吸気カムシャフト２１２のクランクシャフトに対する回転位相差が変化し、吸気カムシャフト２１２に固定された吸気バルブ２０７のバルブタイミングが変化する。
【００６６】
ＥＣＵ１００は、フィードバックモード（以下、適宜「Ｆ／Ｂモード」と称する）において、その時点のエンジン２００の運転条件に応じて吸気バルブ２０７のバルブタイミングの目標変位角を演算し、ソレノイド２２８を駆動する駆動系に対しフィードバック電流値に相当する信号を供給してソレノイド２２８を制御する。その結果、Ｆ／Ｂモードでは、吸気カムシャフト２１２の回転位相差が、所望の値にフィードバック的に収束する。
【００６７】
＜強制最遅角モード＞
エンジン２００が機関停止状態にある期間或いは始動後暫時の期間については強制最遅角モードが実行される。ここで、図４を参照して、強制最遅角モードについて説明する。ここに、図４は、図２と同様のＶＶＴコントローラ２１６の模式断面図である。尚、同図において、図２と重複する箇所には同一の符号を付してその説明を適宜省略することとする。
【００６８】
図４において、ＶＶＴコントローラ２１６に供給されるオイルの液圧が、エンジン２００の停止に伴ってベーン２１９の駆動に要する値以下まで低下した場合、フリクションによってベーン２１９は遅角側に回動し、吸気カムシャフト２１２の回転位相は徐々に遅角側に変化して最終的には最遅角状態（即ち、ベーン２１９が可動範囲の最も遅角側に位置する状態）となる。本実施形態では、ベーン２１９の位置を係る最遅角位置に強制的に固定するモードを強制最遅角モードと称することとする。
【００６９】
一方、ロック孔２２３が形成されたベーン２１９の最遅角位置に相当する部位には、ロックピン２２４がロック孔２２３に対し出没可能に構成されている。ロックピン２２４は、通常、コイルバネ（不図示）によってロック孔２２３の方向に付勢を受けており、ロック孔２２３に所定の解除液圧（ベーン２１９を回動せしめるのに要する液圧よりも高い）以上の液圧でオイルが供給され、液圧がコイルバネによる付勢に打ち勝つと、ベーン２１９の回動を阻害しない所定の収容孔に収容される構成となっている。従って、機関停止時にベーン２１９が最遅角位置で停止すると、コイルバネによる付勢を受けてロックピン２２４がロック孔２２３に嵌合し、ベーン２１９の回動が機械的に固定、即ちロックされる。
【００７０】
他方、ロック孔２２３へのオイルの供給経路は、遅角室２２１へのオイルの供給経路と共有されており、ロック孔２２３の液圧は、遅角室２２１の液圧と略等しく保たれている。従って、遅角室２２１の液圧がロック状態を解除し得る解除液圧以上となった合には、ロックピン２２４によるロックは解除され、物理的にはベーン２１９は回動可能、即ち、吸気バルブ２０７のバルブタイミングを可変に制御することは可能である。
【００７１】
ソレノイド２２８への通電がなされない場合、液圧制御弁２２６の弁体は遅角位置で停止するから、エンジン２００の始動に伴ってオイルの液圧が上昇し、遅角室２２１の液圧が解除液圧以上に上昇すれば、ロックピン２２４に係るロック状態は解除され得るが、オイルの液圧がロック状態を解除するために必要な解除液圧以上となったか否かは、迅速且つ正確に検出する必要がある。即ち、ベーン２１９を可動せしめるのに要する液圧は解除液圧よりも低く、係る検出の精度が低い場合、ロックピン２２４が未だベーン２１９をロックしている状態で強制最遅角モードが解除されることによって、ロックピン２２４とベーン２１９との機械的又は物理的な軋轢が生じ、逆に解除液圧以上の液圧においてロック状態が解除されないといった事態が生じ得るのである。
【００７２】
このように、強制最遅角モードは、オイルの液圧がロックピン２２４に係るロック状態を解除し得る解除液圧以上となったことが明確となった場合に解除され、他の制御モードへ移行されるべきであり、結局は、ＶＶＴコントローラ２１６に係るバルブタイミング可変の効果を最大限に享受するためには、オイルの液圧が解除液圧以上となったか否かを高精度に且つ迅速に特定する必要がある。そこで、本実施形態では、ＥＣＵ１００が、吸気バルブタイミング制御処理を実行することによって、ＶＶＴコントローラ２１６を効率的に動作させることが可能となっている。
【００７３】
ここで、図５を参照して、吸気バルブタイミング制御処理の詳細について説明する。ここに、図５は、吸気バルブタイミング制御処理のフローチャートである。尚、係る制御は、エンジン２００が始動した時点で実行されるものとする。
【００７４】
図５において、ＥＣＵ１００は始めに、機関回転数Ｎｅ（単位はｒｐｍ）の積算タイミングであるか否かを判別する（ステップＡ１０）。本実施形態では、積算周期が６４ｍｓｅｃに設定されており、始動直後においては始動後経過時間が６４ｍｓｅｃであるかが、またそれ以降は、前回の積算タイミングから６４ｍｓｅｃが経過したか否かが判別される。
【００７５】
ＥＣＵ１００は、積算タイミングでは無い場合（ステップＡ１０：ＮＯ）ステップＡ１０に係る処理を繰り返すと共に、積算タイミングが訪れると（ステップＡ１０：ＹＥＳ）、下記（１）式に従って、機関回転数Ｎｅの積算値ｅｎｅｓｕｍを算出する（ステップＡ１１）。尚、機関回転数Ｎｅは、図１においては不図示である回転センサによって検出され、ＥＣＵ１００が制御バスを介して係る検出された回転数を取得する構成となっている。
【００７６】
ｅｎｅｓｕｍ（ｎ）＝ｅｎｅｓｕｍ（ｎ−1）＋Ｎｅ／６０／１０００×６４…（１）
ここで、ｅｎｅｓｕｍ（ｎ）とは、ｎ回目の演算結果であり、（１）式は、６４ｍｓｅｃの間にエンジン２００が回転した回数を、６４ｍｓｅｃ毎に前回の値に順次積算することを表す式である。
【００７７】
ＥＣＵ１００は、一回の積算処理が終了すると、水温センサ２３３から冷却水温Ｔｗを取得する（ステップＡ１２）。冷却水温Ｔｗを取得すると、ＥＣＵ１００は更に、積算値の基準値ｔ＿ｎｅｏｉｌｐｒを取得する（ステップＡ１３）。この際、ＥＣＵ１００はＲＯＭに格納された基準値マップＭＰ１を参照するように構成される。
【００７８】
ここで、図６を参照して、基準値マップＭＰ１の詳細について説明する。ここに、図６は、基準値マップＭＰ１の模式図である。
【００７９】
図６において、積算値の基準値ｔ＿ｎｅｏｉｌｐｒは、オイルの液圧が前述した解除液圧以上であると見なし得る積算値の値を表したものであり、冷却水温Ｔｗが高い程液圧伝達系２２５におけるオイルの液圧の上昇速度が早くなることに鑑み、冷却水温Ｔｗが高い程小さく設定されている。尚、係る基準値ｔ＿ｎｅｏｉｌｐｒの値は、予め実験的に、経験的に或いはシミュレーション等に基づいて、外気温や湿度といった環境条件やその他エンジン２００を取り巻く各種条件が如何なるものであったとしても、オイルの液圧が少なくとも解除液圧を超える値として設定される。
【００８０】
ＥＣＵ１００は、取得した冷却水温Ｔｗに対応する値を、積算値の基準値ｔ＿ｎｅｏｉｌｐｒとして取得する。尚、図６に示す基準値マップＭＰ１は例示に過ぎず、実際には、実践上問題が顕在化しない程度の冷却水温Ｔｗの間隔毎に基準値ｔ＿ｎｅｏｉｌｐｒが設定されている。また、基準値マップＭＰ１に設定されていない冷却水温Ｔｗについては、相前後する冷却水温Ｔｗに対応する値が適宜補間されて基準値が設定される。
【００８１】
図５に戻り、基準値ｔ＿ｎｅｏｉｌｐｒを取得すると、ＥＣＵ１００は、ステップＡ１１に係る処理において算出された積算値ｅｎｅｓｕｍが係る取得した基準値ｔ＿ｎｅｏｉｌｐｒ以上であるか否かを判別する（ステップＡ１４）。
【００８２】
積算値ｅｎｅｓｕｍが基準値ｔ＿ｎｅｏｉｌｐｒ未満である場合（ステップＡ１４：ＮＯ）、ＥＣＵ１００は、ＶＶＴコントローラ２１６の制御モードを前述した強制最遅角モードに維持すると共に処理をステップＡ１０に戻し、所定周期毎に機関回転数Ｎｅの積算値ｅｎｅｓｕｍを算出して一連の処理を繰り返す。
【００８３】
一方、積算値ｅｎｅｓｕｍが基準値ｔ＿ｎｅｏｉｌｐｒ以上である場合（ステップＡ１４：ＹＥＳ）、ＥＣＵ１００は、液圧伝達系２２５に係る液圧、より具体的にはロック孔２２３における液圧が解除液圧を超えたものとして、即ちロックピン２２４が収容孔に収容されベーン２１９の回動が可能となったものとして、ＶＶＴコントローラ２１６に係る目標変位角ｅｖｖｔを算出すると共に、係る目標変位角ｅｖｖｔがゼロであるか否かを判別する（ステップＡ１５）。
【００８４】
目標変位角ｅｖｖｔがゼロである場合（ステップＡ１５：ＹＥＳ）、吸気バルブ２０７のバルブタイミングを変化させる必要はないので、ＥＣＵ１００は、液圧制御弁２２６の弁体の位置が非伝達位置となるようにソレノイド２２８の電流値を制御し、ＶＶＴコントローラ２１６に係る制御モードを前述した保持モードに制御する（ステップＡ１６）。ＶＶＴコントローラ２１６を保持モードに制御すると、ＥＣＵ１００は処理をステップＡ１５に戻し、一連の処理を繰り返す。
【００８５】
目標変位角ｅｖｖｔがゼロではない場合（ステップＡ１５：ＮＯ）、ＥＣＵ１００は、ＶＶＴコントローラ２１６に係る制御モードを前述したＦ／Ｂモードに制御し、吸気バルブ２０７のバルブタイミングを係る目標変位角ｅｖｖｔに応じて変化させる（ステップＡ１７）。この際、ＥＣＵ１００は、吸気カムシャフト２１２が最終的に目標変位角に相当する量、クランクシャフトに対し進角側或いは遅角側に相対回動するように、ソレノイド２２８の制御電流をフィードバック制御し、液圧制御弁２２６の弁体の位置を、前述した遅角位置及び進角位置との間で適宜切替えつつ、ベーン２１９の位置を目標変位角ｅｖｖｔに対応する位置に収束させる。ステップＡ１７に係る処理が実行されると、ＥＣＵ１００は、処理をステップＡ１５に戻し、目標変位角ｅｖｖｔに基づいた、保持モード又はＦ／Ｂモードのいずれかの制御モードを実行する。
【００８６】
ここで、図７を参照して、本実施形態に係る吸気バルブタイミング制御処理に係る効果について説明する。ここに、図７は、吸気バルブタイミング制御処理に係るタイミングチャートである。
【００８７】
図７において、横軸は時刻であり、縦軸の系列には、夫々機関回転数Ｎｅ、積算値ｅｎｅｓｕｍ、オイルの液圧及びＶＶＴコントローラ２１６に係る制御モードが表されている。
【００８８】
時刻Ｔ１において、エンジン２００が始動を開始し、始動期間において機関回転数Ｎｅが、機関回転数Ｎｅ１で安定した図示プロファイルＮｅｐｒｆ１（実線）の如き経過を辿ったとする。この場合、積算値ｅｎｅｓｕｍの上昇特性は、図示Ｎｅｓｕｍｐｒｆ１（実線）の如く推移する。また、機関回転数Ｎｅが、Ｎｅｐｒｆ１よりも傾きが緩やかな、機関回転数Ｎｅ２（Ｎｅ１＞Ｎｅ２）で安定した図示プロファイルＮｅｐｒｆ２（破線）の如き経過を辿ったとする。この場合、積算値ｅｎｅｓｕｍの上昇特性は、同様にＮｅｓｕｍｐｒｆ１よりも傾きが緩やかな、図示Ｎｅｓｕｍｐｒｆ２（破線）の如く推移する。
【００８９】
一方、オイルの液圧は、積算値ｅｎｅｓｕｍと同様の上昇特性を示し、積算値ｅｎｅｓｕｍの特性がＮｅｓｕｍｐｒｆ１の場合には図示実線の如く、また積算値ｅｎｅｓｕｍの特性がＮｅｓｕｍｐｒｆ２の場合には図示破線の如く夫々推移する。
【００９０】
従って、積算値ｅｎｅｓｕｍの基準値（ここではｅｎｅｓｕｍ１とする）を適切に設定することにより、オイルの液圧が所望の値（ここでは、Ｐｔｈとする）に達した時刻（Ｎｅｓｕｍｐｒｆ１の場合には図示時刻Ｔ２、Ｎｅｓｕｍｐｒｆ２の場合には図示時刻Ｔ３）が、正確に検出される。
【００９１】
このため、本実施形態によれば、積算値ｅｎｅｓｕｍが基準値ｅｎｅｓｕｍ１に達した時刻Ｔ２或いはＴ３において、ＶＶＴコントローラ２１６の制御モードを速やかに強制最遅角モードから保持又はＦ／Ｂモードに移行させることができ（図示実線或いは破線参照）、ＶＶＴコントローラ２１６による吸気バルブ２０７のバルブタイミングの制御機会を損失させることなく、効率的にエンジン２００を動作せしめることが可能となるのである。
【００９２】
以上説明したように、本実施形態に係るエンジンシステム１０によれば、エンジン２００が始動した後のエンジン２００の積算回転数ｅｎｅｓｕｍに基づいて、オイルの液圧が、ＶＶＴコントローラ２１６においてロックピン２２４に係るロック状態が解除され得る解除液圧に達したことを、正確且つ迅速に判別することが可能となる。従って、ＶＶＴコントローラ２１６に係るロック状態を、安全に且つ迅速に解除し得、効率的に吸気バルブ２０７のバルブタイミングを可変制御することが出来るのである。
【００９３】
尚、本実施形態では吸気カムシャフト２１２に対してＶＶＴコントローラ２１６が設けられているが、無論本実施形態に係る効果はＶＶＴコントローラ２１６或いはそれに準じる装置又は機構が排気カムシャフト２１４に作用するように構成されていても何ら変わりなく享受されるものである。
【００９４】
本発明は、上述した実施形態に限られるものではなく、請求の範囲及び明細書全体から読み取れる発明の要旨或いは思想に反しない範囲で適宜変更可能であり、そのような変更を伴う可変動弁装置の制御装置もまた本発明の技術的範囲に含まれるものである。
【図面の簡単な説明】
【００９５】
【図１】本発明の一実施形態に係るエンジンシステムのブロック図である。
【図２】図１のエンジンシステムにおけるＶＶＴコントローラの一部分の模式断面図である。
【図３】図１のエンジンシステムにおけるＶＶＴコントローラに備わる液圧伝達系の模式図である。
【図４】ＶＶＴコントローラの一部分の他の模式図である。
【図５】ＥＣＵ１００が実行する吸気バルブタイミング制御処理のフローチャートである。
【図６】吸気バルブタイミング制御処理において参照される基準値マップの模式図である。
【図７】吸気バルブタイミング制御処理に係る効果を説明するタイミングチャートである。
【符号の説明】
【００９６】
１０…エンジンシステム、１００…ＥＣＵ、２００…エンジン、２０１…シリンダ、２１６…ＶＶＴコントローラ、２１７…ハウジング、２１８…ロータ、２１９…ベーン、２２０…進角室、２２１…遅角室、２２３…ロック孔、２２４…ロックピン、２２５…液圧伝達系、２２６…液圧制御弁、２２７…スプリング、２２８…ソレノイド。
【図１】
2007278222.tif 000003
【図２】
2007278222.tif 000004
【図３】
2007278222.tif 000005
【図４】
2007278222.tif 000006
【図５】
2007278222.tif 000007
【図６】
2007278222.tif 000008
【図７】
2007278222.tif 000009